(57)【要約】【課題】短時間に組立てできると共に、外観の見栄えが良く、簡単に組み合わせできる屋外構造物とする。【解決手段】垂直な柱１と、この柱１に連結された水平な前桁５、側桁６を有する枠体２と、この枠体２内に取付けた屋根体３を備え、この屋根体３は水平に対して傾斜していると共に、枠体２から上方及び下方に突出せずに枠体２内に収納されている屋外構造物で、柱１と前桁５、後桁６を簡単に連結できるから短時間に組立てできると共に、屋根体３が枠体３から上方、下方に突出しないから外観の見栄えが良く、しかも複数の屋外構造物を簡単に組み合わせできる。【選択図】図１
2006249677.tif 000002
【特許請求の範囲】
【請求項１】
柱と、この柱に連結した枠体と、この枠体内に取付けた屋根体を備え、
前記柱は垂直で、前記枠体は水平で、
前記屋根体は水平に対して傾斜していると共に、枠体から上方及び下方に突出しないように取付けてあることを特徴とする屋外構造物。
【請求項２】
枠体は前桁と側桁を備え、その前桁の内側面に屋根体の前部を支持する前部支持枠を取付け、前記側桁の内側面に屋根板の側部を支持する側部支持枠を取付けた請求項１記載の屋外構造物。
【請求項３】
垂直な柱と、この柱に連結した水平な枠体と、この枠体内に取付けた屋根体を備え、
前記枠体は前桁と左右の側桁と中間桁で複数の枠部を有する形状又は、前桁と左右の側桁と後桁と中間桁で複数の枠部を有する形状で、
前記枠体の各枠部の全部又はいくつかの枠部に屋根体を、水平に対して傾斜していると共に、枠体から上方及び下方に突出しないように取付けてあることを特徴とする屋外構造物。
【請求項４】
前桁の内側面、側桁の内側面、後桁の内側面、中間桁の側面に、屋根板を支持する支持枠を取付けた請求項３記載の屋外構造物。
【請求項５】
複数の屋外構造物を適宜組み合わせた請求項１〜４記載の屋外構造物。
【発明の詳細な説明】
【技術分野】
【０００１】
本発明は、テラス、パーゴラ、バルコニー、カーポート、サンルーム、玄関、通路等に用いる屋外構造物に関する。
【背景技術】
【０００２】
テラスに用いる屋外構造物としては、地面等に設置した柱と、この柱と連結した枠体と、この枠体内に取付けた屋根体を備え、その枠体を水平に対して傾斜させることで屋根体を傾斜させるものが一般的である。
このような屋外構造物は、柱を垂直に設置するのが普通であるから、この垂直の柱と傾斜した枠体を連結するのが面倒で、組立てに時間がかかってしまう。
これらのことから、特許文献１に開示された屋外構造物は、枠体を水平とし、この枠体に屋根体を水平に対して傾斜して取付けてある。
この屋外構造物であれば、垂直な柱と水平な枠体を簡単に連結でき、短時間に組立てできる。
【０００３】
【特許文献１】特開２００３−３４３００９号公報
【発明の開示】
【発明が解決しようとする課題】
【０００４】
前述した従来の屋外構造物は、屋根体が枠体から上方に突出するので、外観の見栄えが悪い。また、拡張性が悪く、複数の屋外構造物を組み合わせるのが困難である。
【０００５】
本発明の目的は、短時間に組立てできると共に、外観の見栄えが良く、しかも複数の屋外構造物を簡単に組み合わせできる屋外構造物を提供することである。
【課題を解決するための手段】
【０００６】
第１の発明は、柱と、この柱に連結した枠体と、この枠体内に取付けた屋根体を備え、
前記柱は垂直で、前記枠体は水平で、
前記屋根体は水平に対して傾斜していると共に、枠体から上方及び下方に突出しないように取付けてあることを特徴とする屋外構造物である。
【０００７】
第１の発明において、枠体は前桁と側桁を備え、その前桁の内側面に屋根体の前部を支持する前部支持枠を取付け、前記側桁の内側面に屋根板の側部を支持する側部支持枠を取付けた形状とすることが好ましい。
【０００８】
このようにすれば、前桁、側桁を押出形材とすることができる。
また、前部支持枠と側部支持枠の一方を屋根体の傾斜角度に合わせて長手方向に斜めに取付けることで、屋根体の前部、側部をしっかりと支持することができる。
【０００９】
第２の発明は、垂直な柱と、この柱に連結した水平な枠体と、この枠体内に取付けた屋根体を備え、
前記枠体は前桁と左右の側桁と中間桁で複数の枠部を有する形状又は、前桁と左右の側桁と後桁と中間桁で複数の枠部を有する形状で、
前記枠体の各枠部の全部又はいくつかの枠部に屋根体を、水平に対して傾斜していると共に、枠体から上方及び下方に突出しないように取付けてあることを特徴とする屋外構造物である。
【００１０】
第２の発明においては、前桁の内側面、側桁の内側面、後桁の内側面、中間桁の側面に、屋根板を支持する支持枠を取付けることが好ましい。
【００１１】
このようにすれば、屋根板の傾斜角度に合わせて支持枠を長手方向に斜めに取付けることで、その屋根板をしっかりと支持することができる。
【００１２】
第１・第２の発明においては、複数の屋外構造物を適宜組み合わせて屋外構造物とすることが好ましい。
この場合には、枠体を形成する前桁、側桁などを共通とすることが好ましいし、柱を共通とすることが好ましい。
【発明の効果】
【００１３】
請求項１に係る発明によれば、柱が垂直で枠体が水平であるから柱と枠体を簡単に連結でき、短時間に組立てできる。
また、屋根体は枠体の上方、下方に突出せずに枠体内に収納されていないから、外観の見栄えが良い。
また、複数の屋外構造物を組み合わせる場合には枠体を連結すれば良いから、複数の屋外構造物を簡単に組み合わせできる。
【００１４】
請求項３に係る発明によれば、請求項１に係る発明と同様に短時間で組立てできると共に、外観の見栄えが良い。また、複数の屋外構造物を簡単に組み合わせできる。
また、中間桁を設けて複数の枠部を有するものとし、その全部の枠部又はいくつかの枠部に屋根体を取付けるので、その各屋根体の傾斜方向をそれぞれ異ならせたり、屋根体のない開放した枠部を有するものとしたりできる。しかも、各屋根体の傾斜方向を異ならせても意匠性、水密性が損なわれない。
【発明を実施するための最良の形態】
【００１５】
図１に示すように、柱１と、この柱１に連結した枠体２と、この枠体２内に取付けた屋根体３で屋外構造物を構成している。
前記柱１は地面等に垂直に設置されている。
前記枠体２は水平となるように柱１に連結されている。
前記屋根体３は水平に対して傾斜していると共に、この屋根体３は枠体２から上方及び下方に突出しないように取付けてある。
【００１６】
このようであるから、垂直な柱１と水平な枠体２を簡単に連結でき、短時間に組立てできる。
また、屋根体３は枠体２から上方、下方に突出せずに枠体２内に収納されているので、外観の見栄えが良い。
また、枠体２を連結することで複数の屋外構造物を組み合わせでき、その組み合わせが簡単である。
【００１７】
図１に示す屋外構造物は壁付式で、枠体２の一端部と屋根体３の一端部が建物の外壁４に取付けてあり、その枠体２の他端部に一対の柱１が連結してある。
前記枠体２は前桁５と左右の側桁６で平面コ字形状である。この前桁５は一対の柱１間に連結されて建物の外壁４と対向している。左右の側桁６は柱１と建物の外壁４に連結される。
前記屋根体３は平面矩形状で、その建物外壁４側が高く、前桁５側が低くなるように水平に対して傾斜している。この屋根体３の前部が前桁５の内側面に支持され、左右の側部が左右の側桁６の内側面に支持され、屋根体３の後部が建物の外壁４に取付けられる。
【００１８】
本発明に係る屋外構造物は前述の壁付式に限ることはなく、図２に示す独立式でも良い。
独立式の屋外構造物は、４本の柱１を有し、枠体２は前桁５と左右の側桁６と後桁７で方形状で、前桁５が前側一対の柱１間に連結され、側桁６が後側一対の柱１間に連結され、前側の柱１と後側の柱１間に側桁６が連結されている。
この独立式の屋外構造物であれば、設置場所に制約を受けないので、カーポート、サンルーム、玄関、通路等に用いることができる。
【００１９】
前述の壁付式の屋外構造物の場合には柱１の数は２本に限ることはない。例えば図３に示すように、建物の外壁４の入隅部４ａに取付ける場合には柱１の数は１本でも良い。
この場合には、枠体２は前桁５と１つの側桁６で鉤形状で、その前桁５、側桁６の長手方向一端部が柱１に連結され、他端部が建物の外壁４に連結される。
そして、屋根体３の前部が前桁５の内側面に支持され、屋根体３の一方の側部が側桁６の内側面に支持されると共に、屋根体３の後部と他方の側部が建物の外壁４に取付けられる。
【００２０】
また、前述の壁付式の屋外構造物を複数組み合わせて建物の外壁に取付けて１つの屋外構造物とすることもできる。
例えば、図４に示すように建物外壁４の出隅部４ｂに沿って６本の柱１を鉤形状となるように配設し、その各柱１間に前桁５を連結すると共に、各柱１と建物外壁４とに亘って側桁６を連結して３つの枠部２を形成する。
この各枠部２に屋根体３をそれぞれ取付ける。
このようにすれば、建物の外壁４の出隅部４ｂに沿って複数の屋外構造物を組み合わせて設置できる。また側桁６と柱１が兼用できる。
【００２１】
また、前述の独立式の屋外構造物を複数組み合わせて１つの屋外構造物とすることもできる。
例えば、図５に示すように左右の両側に３本の柱１をそれぞれ配設し、その各柱１間に前桁５と側桁６と後桁７と中間桁８を連結して２つの枠部２を形成する。
この各枠部２に屋根体３をそれぞれ取付け、その屋根体３を中間桁６側が高く、前桁５、後桁６側が低くなるように水平に対して傾斜し、２つの屋根体３を山形状とする。
このようにすれば、カーポートとして好ましい屋外構造物となる。また、中間桁８が兼用できる。
【００２２】
また、前述の壁付式、独立式の屋外構造物において、その枠体２を中間桁によって複数の枠部に区画し、その各枠部に屋根体をそれぞれ取付けたり、いくつかの枠部には屋根体を取付けず開放したままとする。
このようにすることで、複数の屋根体の傾斜方向、つまり屋根勾配方向を自由に変えることができるし、パーゴラとして好ましいものとすることができる。
【００２３】
例えば、図２に示すように左右の側桁６間に中間桁８を連結して枠体２を第１枠部２−１と第２枠部２−２に区画し、その第１枠部２−１に屋根体３を取付け、第２枠部２−２は開放したままとする。
また、図６に示すように、前記図５に示す屋外構造物における一方の枠体２を複数の中間桁８で第１・第２・第３枠部２−１，２−２，２−３に区画し、第１枠部２−１に取付けた屋根体３の傾斜方向と第２枠部２―２に取付けた屋根体３の傾斜方向を異ならせる。第３枠部２−３は開放したままとする。
【００２４】
次に、各部材について説明する。
図７に示すように、前桁５、側桁６は、その長手方向端面を柱１の前桁取付面１ａ、側桁取付面１ｂにつき当てて連結金具を用いてそれぞれ連結される。
このようであるから、柱１を垂直とすると共に、前桁５、側桁６を水平とすることで簡単に連結できるから、柱１と枠体２の連結が簡単である。
なお、前桁５と側桁６を連結し、その前桁５、側桁６の下面を柱１の上面に突き当てて連結する場合でも、柱１が垂直で、前桁５、側桁６が水平であることによって枠体２と柱１を簡単に連結できる。
【００２５】
前記前桁５の内側面５ａ、側桁６の内側面６ａに屋根体の前部、側部を支持するので、その各内側面５ａ，６ａに支持部を設けることになる。しかしながら、その支持部は屋根体の傾斜（屋根勾配）に対応して前桁５、側桁６の長手方向に斜めになるから、その支持部を一体的に備えた前桁５、側桁６を押出成形できない。なお、前述したように屋根体の傾斜方向を任意とするため前桁５の支持部が長手方向に斜めとすることもある。
また、前述したように後桁７、中間桁８を用いた場合には、その後桁７の内側面、中間桁の両側面に支持部を設けることになるので、前桁５、側桁６と同様である。
【００２６】
前述のことに対応するために、前記前桁５の内側面５ａに前部支持枠１０を取付け、側桁６の内側面６ａに側部支持枠２０を取付ける。図示は省略するが後桁７の内側面、中間桁８の両側面にも支持枠をそれぞれ取付ける。
このようにすることで、前桁５、側桁６を押出形材、例えばアルミ押出形材とすることができると共に、屋根体の傾斜方向を任意にでき、しかも支持部の長手方向の水平に対する角度を屋根体の傾斜角度に合わせることができる。
【００２７】
図７に示すように前部支持枠１０はアタッチメント３０を介して取付けてある。これは、前桁５の幅寸法（長手方向と直角方向の寸法）が柱１の前桁取付面１ａの幅寸法よりも小さく、前桁５の内側面５ａが柱１の側桁取付面１ｂと面一にならずに段差があり、前部支持枠１０を前桁５の内側面５ａに直接取付けると、柱１の側桁取付面１ｂまで前部支持枠１０を連続できないので、前述のようにアタッチメント３０を前桁５の内側面５ａに取付け、そのアタッチメント３０に前部支持枠１０を取付けて前部支持枠１０を柱１の側桁取付面１ｂまで連続して側桁６の内側面６ａに当接している。
なお、前桁５の内側面５ａと柱１の側桁取付面１ｂが面一であれば、前部支持枠１０を前桁５の内側面５ａに直接取付けても良い。
【００２８】
前記アタッチメント３０は図８に示すように、支持枠取付面３１の上部寄りに水返し用のヒレ片３２が一体的に設けてあり、このヒレ片３２と支持枠取付面３１とで下向き凹部３３を形成し、下部寄りに上向き受片３４を有している。
前記支持枠取付面３１は前桁取付面３５と離隔し、その前桁取付面３５を前桁５の内側面５ａに接してビス３６で固着して取付けることで、前記支持枠取付面３１が柱１の側桁取付面１ｂと面一となる。
前記前部支持枠１０は、底壁部１１と、この底壁部１１の長手方向と直角方向（以下、幅方向という）一側に設けた一側立上り部１２と、底壁部１１の幅方向他側に設けた他側立上り部１３で断面ほぼ上向きコ字状の長尺材で、雨樋用凹部１４を有する。この雨樋用凹部１４の長手方向端部は塞ぎ材１４ａで閉塞してある。
この一側立上り部１２の上部に折り曲片１５、下部寄りに下向き係止片１６が設けてある。
前記他側立上り部１３の上部には横向片１７が一側立上り部１２に向けて一体的に設けてある。
【００２９】
前記前部支持枠１０は、水平姿勢に対して幅方向に斜めの姿勢とし、その折り曲片１５をアタッチメント３０の下向き凹部３３内に押し込み、その状態で水平姿勢として下向き係止片１６を支持枠取付面３１に接し、下方に移動して下向き係止片１６と上向き受片３４を嵌合して仮取付けする。
この後に、一側立上り部１２の上部寄りをビス１６でアタッチメント３０の支持枠取付面３１に固着する。
このようであるから、前部支持枠１０を仮取付けしてからビス止めして連結するので、その取付け作業が簡単である。
また、ビス１６、ビス３６は上部寄りであるから下方から見上げた場合に目視されずに見栄えも良い。
【００３０】
前記側部支持枠２０は図９に示すように、側桁取付面２１を側桁６の内側面６ａに接してビス２２で固着して取付けてある。
この側部支持枠２０の支持面２３は柱１の前桁取付面１ａと面一に連続する。つまり、側桁６の内側面６ａと柱１の前桁取付面１ａは前述の前桁５の内側面５ａと側桁取付面１ｂと同様に段差を有している。なお、面一でなくとも良い。
前記側部支持枠２０の支持面２３の上部寄りには支持片２４が長手方向に連続して設けてある。この支持片２４は上向き鉤形である。
前記側部支持枠２０は図７に示すように前部支持枠１０の他側立上り部１３に当接し、かつ側桁６の内側面６ａに側桁６の長手方向に亘って水平に対して傾斜して取付けてあり、その支持片２４も水平に対して傾斜している。
【００３１】
前記屋根体３は図８と図９に示すように、複数の垂木４０と、この隣接した垂木４０の上に水密材を介して載置した屋根板４１と、この屋根板４１を垂木４０に押しつける押え材４２を備え、この押え材４２はビス４３で垂木４０に固着され、水密材を介して屋根板４１に押しつけられる。
前記垂木４０の前部は図７に示すように前部支持枠１０に連結され、この垂木４０の後部は図１０と図１１に示すように垂木掛け５０に垂木ブラケット５１とビス５２で連結してある。
【００３２】
図９に示すように、側桁６と隣接した垂木４０は側部支持枠２０の支持面２３に接し、この垂木４０に取付けた押え材４２の側桁６側部分は、前記側部支持枠２０の支持片２４に水密材を介して押しつけてある。
これによって、屋根体３の側部が側桁６の内側面６ａに支持され、その支持部を雨仕舞して支持部から雨水等が落下しないようにする。
【００３３】
前記屋根板４１の前端部は図８に示すように屋根板支持材４４で支持されて浮き上がることがないようにしてある。
この屋根板支持材４４は前部支持枠１０の他側立上り部１３に設けた横向き片１７に、ほぼ水平姿勢でビス止めして取付けてある。
前記屋根板支持材４４は垂木掛け５０側に向けて開口した横向き凹部４５を有し、この横向き凹部４５内に屋根板４１の前端部を挿入して支持する。
【００３４】
前記垂木掛け５０は図１０と図１１に示すように、縦部５３と下横向部５４と上横向部５５で断面横向きコ字状の長尺材で、横向き凹部５６を有している。
前記垂木ブラケット５１の一端部は縦部５３にビス５２で固着され、この垂木ブラケット５１の他端部に垂木４０の長穴４０ｄからビス５２を螺合して固着される。
このようであるから、長穴４０の長さ相当だけ垂木４０の取付け位置を長手方向に調整できる。
【００３５】
前記垂木掛け５０の横向き凹部５６における隣接した垂木４０間に垂木掛けカバー５７が図１１に示すように取付けてある。例えば、垂木掛けカバー５７は中空矩形状の本体５７ａに上係止片５７ｂと下係止片５７ｃを一体的に設けたもので、その上下係止片５７ｂ，５７ｃが、前記垂木掛け５０の横向き凹部５６に形成した上係止受片５６ａと下係止受片５６ｂに係止して取付けてある。
前記屋根板４１の後端部は、前記垂木掛けカバー５７の上面（本体５７ａの上面）と垂木掛け５０の上横向部５５との間に挿入して支持されている。
【００３６】
前記垂れ木掛け５０は、壁付式の屋外構造物の場合には図１１に示すように建物の外壁４に取付け、独立式の屋外構造物の場合には図１２に示すように後桁７の内側面７ａに取付ける。
【００３７】
次に、屋根体３の組立てについて説明する。
前部支持枠１０と垂木掛け５０とに亘って垂木４０を取付ける。
この垂木４０は図９に示すように中空本体４０ａの上部横壁４０ｂに水密材装着部４０ｃを設けた形状で、その中空本体４０ａの長手方向前端部を、その上部横壁４０ｂを残して切断して除去し、その残存した上部横壁４０ｂを前部支持枠１０の横向き片１７に接してビスで固着する。
この横向き片１５の上部横壁４０ｂが存在しない部分に屋根板支持材４４をそれぞれビス止めして取付ける。
屋根板４１を前桁５と垂木掛け５０との方向に湾曲して前端部を屋根板支持材４４の横向き凹部４５に挿入して支持し、かつ後端部を垂木掛け５０の上横向部５５の下面に水密材を介して接する。
この状態で垂木掛けカバー５７を取付けて屋根板４１の後端部を支持する。
最後に、押え材４２を垂木４０にビス４３で取付けて屋根板４１の左右端部を支持する。
【図面の簡単な説明】
【００３８】
【図１】本発明の第１の実施の形態を示す全体概略斜視図である。
【図２】本発明の第２の実施の形態を示す全体概略斜視図である。
【図３】本発明の第３の実施の形態を示す全体概略斜視図である。
【図４】本発明の第４の実施の形態を示す全体概略斜視図である。
【図５】本発明の第５の実施の形態を示す全体概略斜視図である。
【図６】本発明の第６の実施の形態を示す全体概略斜視図である。
【図７】本発明の第１の実施の形態における柱と前桁と側桁部分の斜視図である。
【図８】本発明の第１の実施の形態における前桁部分の断面図である。
【図９】本発明の第１の実施の形態における側桁と屋根体部分の断面図である。
【図１０】本発明の第１の実施の形態における垂木掛けと垂木の分解斜視図である。
【図１１】本発明の第１の実施の形態における垂木掛け部分の断面図である。
【図１２】本発明の第２の実施の形態における後桁と垂木掛け部分の断面図である。
【符号の説明】
【００３９】
１…柱、２…枠体、３…屋根体、４…建物の外壁、５…前桁、５ａ…内側面、６…側桁、６ａ…内側面、７…後桁、８…中間桁、１０…前部支持枠、２０…側部支持枠、３０…アタッチメント、４０…垂木、４１…屋根板、４２…押え材、５０…垂木掛け。
【図１】
2006249677.tif 000003
【図２】
2006249677.tif 000004
【図３】
2006249677.tif 000005
【図４】
2006249677.tif 000006
【図５】
2006249677.tif 000007
【図６】
2006249677.tif 000008
【図７】
2006249677.tif 000009
【図８】
2006249677.tif 000010
【図９】
2006249677.tif 000011
【図１０】
2006249677.tif 000012
【図１１】
2006249677.tif 000013
【図１２】
2006249677.tif 000014